(57)【要約】【課題】  省電力化を実現することのできるショーケース冷却システムを提供する。【解決手段】  本発明のショーケース冷却システム１０は、ショーケース１２の電磁弁１４の開閉を制御する運転コントローラ２０を備える。運転コントローラ２０は、開弁すべき電磁弁の個数が２以上となったときに、それらを同期させて開弁させる。これにより、冷凍機３の運転時間を短縮して、省電力化を図ることができる。【選択図】  図３
2005127545.tif 000002
【特許請求の範囲】
【請求項１】
それぞれが電磁弁を備えて、温度情報をもとに電磁弁の開弁を要求する開弁要求信号を生成する複数のショーケースと、
複数のショーケースに冷媒を供給する冷凍機と、
開弁要求信号をもとに、ショーケースの電磁弁の開弁を許可する開弁制御信号をショーケースに送信する運転コントローラとを備え、
ショーケースは、運転コントローラから開弁制御信号を受け取ると、電磁弁を開弁することを特徴とするショーケース冷却システム。
【請求項２】
運転コントローラは、複数のうち所定数以上のショーケースから開弁要求信号を受け付けると、開弁要求信号を運転コントローラに送信したショーケースに対して開弁制御信号を送信することを特徴とする請求項１に記載のショーケース冷却システム。
【請求項３】
運転コントローラは、開弁要求信号を運転コントローラに送信したショーケースにおいて、所定の温度条件が満たされていないことを検出すると、開弁要求信号を送信したショーケースに対して開弁制御信号を送信することを特徴とする請求項１または２に記載のショーケース冷却システム。
【請求項４】
運転コントローラは、１つのショーケースから開弁要求信号を受け付けてから所定時間の経過後に、開弁要求信号を送信したショーケースに対して開弁制御信号を送信することを特徴とする請求項１から３のいずれかに記載のショーケース冷却システム。
【請求項５】
それぞれが電磁弁を備えて、温度情報を送信する複数のショーケースと、
複数のショーケースに冷媒を供給する冷凍機と、
温度情報をもとに、ショーケースの電磁弁の開弁を許可する開弁制御信号をショーケースに送信する運転コントローラとを備え、
ショーケースは、運転コントローラから開弁制御信号を受け取ると、電磁弁を開弁することを特徴とするショーケース冷却システム。
【請求項６】
運転コントローラは、ショーケースから送信される温度情報をもとに、開弁すべき電磁弁の数が所定数以上となったことを判定すると、開弁すべき電磁弁を備えたショーケースに開弁制御信号を送信することを特徴とする請求項５に記載のショーケース冷却システム。
【請求項７】
運転コントローラは、ショーケースから送信される温度情報をもとに開弁すべき電磁弁を有するショーケースを特定し、そのショーケースにおいて所定の温度条件が満たされていないことを検出すると、開弁すべき電磁弁を有するショーケースに対して開弁制御信号を送信することを特徴とする請求項５または６に記載のショーケース冷却システム。
【請求項８】
運転コントローラは、ショーケースから送信される温度情報をもとに、開弁すべき電磁弁を有する１つのショーケースを特定すると、その特定から所定時間の経過後に、開弁すべき電磁弁を有するショーケースに対して開弁制御信号を送信することを特徴とする請求項５から７のいずれかに記載のショーケース冷却システム。
【請求項９】
冷凍機から冷媒を供給される複数のショーケースを備えたショーケース冷却システムにおいて、ショーケースの電磁弁の開弁を制御する方法であって、開弁すべき電磁弁の個数が２つ以上となったときに、それらを同期させて開弁させることを特徴とする電磁弁の開弁制御方法。
【発明の詳細な説明】
【技術分野】
【０００１】
本発明は、ショーケースの冷却システムに関し、特に複数のショーケースに冷媒を供給する冷凍機を備えたショーケース冷却システムに関する。
【背景技術】
【０００２】
スーパーマーケットやコンビニエンスストアなどの食品店舗で利用するショーケースの庫内温度調節は、冷媒の流れを制御する電磁弁の開閉によって行われる。一般には、ショーケースが店舗内に設けられ、配管を通じて冷媒を供給する冷凍機が店舗外に設けられる。
【０００３】
図１は、従来のショーケース冷却システム１の構成を示す。ショーケース冷却システム１は、複数のショーケース２ａ、２ｂ、２ｃと冷凍機３を備える。ショーケース２ａ、２ｂ、２ｃ（以下、「ショーケース２」と呼ぶ）は、電磁弁４ａ、４ｂ、４ｃ（以下、「電磁弁４」と呼ぶ）をそれぞれ備えており、冷凍機３から供給される冷媒は、共通配管５を通じて電磁弁４から各ショーケース２に導入される。
【０００４】
ショーケース２は、空気温度値と設定温度値との差に基づいて電磁弁４の開閉を制御する。いずれかのショーケース２における電磁弁４が開弁されると、冷凍機３が冷媒圧力の変化を検出し、コンプレッサを駆動して、開弁したショーケース２に冷媒を供給する。食品店舗の開店中、ショーケース２の熱負荷が高いため、冷凍機３のコンプレッサの稼働率は高い。一方、閉店中は、冷気が逃げないようにショーケース２にエアカーテンなどのカバーを被せるため、熱負荷は低くなり、開店中と比較すると、コンプレッサの稼働率は低くなる傾向にある。
【０００５】
なお、従来のショーケース冷却装置として、電磁弁のオン時間の割合である運転率をもとに、インバータ圧縮機の吸入冷媒圧力の設定値を求めて、この設定値と実際の圧力の偏差をもとに、インバータ圧縮機の回転数指令を求めるものが提案されている（例えば、特許文献１参照。）。
【特許文献１】特開平９−２１７９７４号公報
【発明の開示】
【発明が解決しようとする課題】
【０００６】
図２は、図１に示した従来のショーケース冷却システム１における各ショーケース２の開弁期間と、冷凍機３の運転時間の関係を示す図である。図２において、横軸は時間を示し、各ショーケース２のタイミングチャートにおけるハイ期間は電磁弁４の開弁期間を、ロー期間は電磁弁の閉弁期間を示す。また、冷凍機３のタイミングチャートにおけるハイ期間はコンプレッサの運転期間を、ロー期間はコンプレッサの非運転期間を示す。各ショーケース２は互いに独立して動作しているため、電磁弁４を開弁するタイミングはランダムとなり、冷凍機３は、電磁弁４が開弁するたびにコンプレッサを駆動する。
【０００７】
図２では３つのショーケース２が存在する場合の冷凍機３の運転期間を示すが、１つの冷凍機３が数十台のショーケース２と接続する場合、それぞれのショーケース２の電磁弁４が開弁するたびに冷凍機３がコンプレッサを駆動するため、結果として、ショーケースの熱負荷が低く、本質的に稼働率が低くなるはずの店舗閉店時であっても、コンプレッサの稼働率はそれほど低くならない。すなわち省電力化のため、冷凍機３は、電磁弁の開閉に応じて運転を行うのが通常であるが、それでもなお、高頻度の運転は消費電力を増加させる。
【０００８】
本発明は、このような課題に鑑みてなされたものであり、その目的は、消費電力を少なくして、省電力化を実現することのできるショーケース冷却システムを提供することにある。
【課題を解決するための手段】
【０００９】
上記課題を解決するために、本発明のある態様は、それぞれが電磁弁を備えて、温度情報をもとに電磁弁の開弁を要求する開弁要求信号を生成する複数のショーケースと、複数のショーケースに冷媒を供給する冷凍機と、開弁要求信号をもとに、ショーケースの電磁弁の開弁を許可する開弁制御信号をショーケースに送信する運転コントローラとを備えたショーケース冷却システムを提供する。ショーケースは、運転コントローラから開弁制御信号を受け取ると電磁弁を開弁する。
【００１０】
この態様のショーケース冷却システムによると、ショーケース側のみの判断で電磁弁を開弁させるのではなく、運転コントローラ側で電磁弁の開弁を統括的に制御するため、２つ以上の電磁弁の開弁タイミングを同期させることが可能となる。これにより、冷凍機の運転回数および／または運転時間を少なくし、省電力化を実現することができる。
【００１１】
本発明の別の態様は、それぞれが電磁弁を備えて、温度情報を送信する複数のショーケースと、複数のショーケースに冷媒を供給する冷凍機と、温度情報をもとに、ショーケースの電磁弁の開弁を許可する開弁制御信号をショーケースに送信する運転コントローラとを備えたショーケース冷却システムを提供する。ショーケースは、運転コントローラから開弁制御信号を受け取ると電磁弁を開弁する。
【００１２】
この態様のショーケース冷却システムによると、ショーケース側の判断で電磁弁を開弁させるのではなく、運転コントローラ側で電磁弁の開弁を統括的に制御するため、２つ以上の電磁弁の開弁タイミングを同期させることが可能となる。これにより、冷凍機の運転回数および／または運転時間を少なくし、省電力化を実現することができる。
【００１３】
本発明のさらに別の態様は、冷凍機から冷媒を供給される複数のショーケースを備えたショーケース冷却システムにおいて、ショーケースの電磁弁の開弁を制御する方法であって、開弁すべき電磁弁の個数が２つ以上となったときに、それらを同期させて開弁させる電磁弁の開弁制御方法を提供する。これにより、冷凍機の運転回数および／または運転時間を少なくし、省電力化を実現することができる。
【００１４】
なお、以上の構成要素の任意の組合せ、本発明の表現を方法、装置、システム、記録媒体、コンピュータプログラムなどの間で変換したものもまた、本発明の態様として有効である。
【発明の効果】
【００１５】
本発明によれば、冷凍機の運転回数および／または運転期間を短縮することができ、冷凍機の運転にかかる消費電力を低減する技術を提供することができる。
【発明を実施するための最良の形態】
【００１６】
本発明の実施例は、複数のショーケースにおける開弁要求のたびに電磁弁を開弁して冷凍機を駆動させるのではなく、所定の条件が整ったときに電磁弁を開弁して冷凍機を駆動させる運転コントローラを備えたショーケース冷却システムを示す。
【００１７】
（実施例１）
実施例１におけるショーケースは、主体的に空気温度値と設定温度値との差に基づいて電磁弁の開閉を制御する機能をもつ。図１および図２に示した従来のショーケース冷却システム１では、このショーケースの電磁弁開閉制御機能により、電磁弁４が直接開閉されていたが、実施例１では、ショーケースによる開弁要求のみでは、電磁弁は開弁されない。現在、ショーケースは、自身の電磁弁の開閉能力をもつことが一般的であり、したがって、実施例１で示すショーケース冷却システムは、現状存在するショーケースおよび冷凍機を利用して、システムの省電力化を実現することを可能とする。なお、電磁弁の閉弁のタイミングについては、各ショーケースにおいて制御される。
【００１８】
図３は、実施例１に係るショーケース冷却システム１０の機能ブロック図を示す。ショーケース冷却システム１０は、複数のショーケース１２ａ、１２ｂ、１２ｃと冷凍機３を備える。ショーケース１２ａ、１２ｂ、１２ｃ（以下、総称する場合は「ショーケース１２」と呼ぶ）は、電磁弁１４ａ、１４ｂ、１４ｃ（以下、総称する場合は「電磁弁１４」と呼ぶ）をそれぞれ備えており、冷凍機３から供給される冷媒は、共通配管５を通じて電磁弁１４から各ショーケース１２に導入される。なお、図示の例では、便宜上、ショーケース１２と電磁弁１４とが分離されているように示されているが、実際には一体として構成されている。ショーケース１２は、空気温度値と設定温度値との差に基づいて電磁弁１４の開閉を制御する機能をもつ。なお、実施例１において電磁弁１４は、ショーケース１２からの要求のみでは開弁せず、運転コントローラ２０からのゲート信号、すなわち開弁制御信号を受けて開弁することになる。冷凍機３は、電磁弁１４の開弁動作による冷媒圧力の変化を検出すると、コンプレッサを駆動して、開弁したショーケース１２に冷媒を供給する。
【００１９】
実施例１におけるショーケース冷却システム１０は、さらに、ショーケース１２の電磁弁１４の開弁を制御する運転コントローラ２０を備える。運転コントローラ２０による電磁弁開弁制御機能は、ＣＰＵ、メモリ、メモリにロードされたプログラムなどによって実現される。プログラムは、運転コントローラ２０に内蔵されていてもよく、また記録媒体に格納された形態で外部から供給されるものであってもよい。したがって運転コントローラ２０による機能がハードウエアのみ、ソフトウエアのみ、またはそれらの組合せによっていろいろな形で実現できることは、当業者に理解されるところである。運転コントローラ２０は、専用の端末機として存在してもよく、また所期のプログラムをダウンロードすることで機能するパーソナルコンピュータなどの汎用機として存在してもよい。また、運転コントローラ２０は、冷凍機３と一体として構成されてもよく、またショーケース１２の１つが、運転コントローラ２０としての役割を果たしてもよい。
【００２０】
ショーケース１２は、空気温度値を測定し、空気温度値と設定温度値との差を示す温度情報をもとに、電磁弁１４の開弁を要求する。具体的に、ショーケース１２は、空気温度値と設定温度値との差が閾値αを超えると、電磁弁１４の開弁を要求する開弁要求信号を生成する。例えば、閾値αは１℃に設定される。通常、電磁弁１４は、運転コントローラ２０によりゲートをかけられた状態、すなわち開弁を禁止された状態にある。ショーケース１２はゲート回路を有して構成され、ゲート回路は、ショーケース１２内で生成される開弁要求信号と、運転コントローラ２０から供給されるゲートを解除する信号、すなわち電磁弁１４の開弁を許可する開弁制御信号を受け取ると、電磁弁１４を開弁する。
【００２１】
運転コントローラ２０は、同一の共通配管５に接続された複数のショーケース１２の運転状態を考慮して、電磁弁１４の開弁を許可する開弁制御信号をショーケース１２に送信する。運転コントローラ２０は、２つ以上の電磁弁が同期して開弁するように、開弁制御信号を２つ以上のショーケース１２に送信する。これにより、冷凍機３の運転回数を少なくし、冷凍機３の消費電力を低減することができる。
【００２２】
例えば、運転コントローラ２０は、複数のショーケース１２のうち、所定数以上のショーケース１２から開弁要求信号を受け付けることを条件として、開弁要求信号を運転コントローラ２０に送信したショーケース１２に対して開弁制御信号を送信してもよい。例えば、運転コントローラ２０は、複数のうち半数以上のショーケース１２から開弁要求信号を受け付けたときに、それらのショーケース１２の電磁弁１４を開弁させる。すなわち、運転コントローラ２０は、２以上である所定数のショーケース１２に冷却される必要が生じたときに冷凍機３を運転させることとする。これにより、２以上のショーケース１２をまとめて冷却することができるため、冷凍機３の運転回数および／または運転時間を減らすことができる。
【００２３】
また、運転コントローラ２０は、開弁要求信号を受け付けた後、さらにショーケース１２から温度情報を取得して、そのショーケース１２において所定の温度条件が満たされていないことを検出すると、開弁制御信号をショーケース１２に送信してもよい。例えば、ショーケース１２は、一度、開弁要求信号を運転コントローラ２０に送信すると、電磁弁１４の開弁がなされるまで、空気温度の測定値を運転コントローラ２０に送信する。運転コントローラ２０は、測定された空気温度値をもとに、空気温度値と設定温度値との差が閾値βを超えたか否かを判定し、超えた場合には、その時点でショーケース１２の空気温度を冷却するべく、開弁制御信号をショーケース１２に送信する。なお、閾値βは、ショーケース１２が開弁を要求する閾値αよりも大きい値であり（閾値β＞閾値α）、例えば閾値βは３℃に設定される。省エネよりも、食品の品質保全を重視するためであり、その場合には、所定数未満のショーケース１２からの開弁要求信号しか受け付けていない場合であっても、運転コントローラ２０は、開弁要求信号を発したショーケース１２の電磁弁１４を開弁させる。
【００２４】
なお、この温度条件による判定は、運転コントローラ２０側でなされてもよいが、ショーケース１２側でなされてもよい。すなわち、ショーケース１２は、測定温度値が設定温度値よりも閾値β（３℃）以上高くなったとき、その旨を示す信号を運転コントローラ２０に送信する。運転コントローラ２０は、この信号を受けて、開弁要求信号を発した全てのショーケース１２に対して開弁制御信号を送信する。
【００２５】
さらに運転コントローラ２０は、タイマにより開弁制御信号を送信するタイミングを定めてもよい。例えば、運転コントローラ２０は、１つのショーケース１２から開弁要求信号を受けた後、タイマをセットして、所定時間が経過すると、開弁制御信号を送信するようにしてもよい。例えば、閾値βによる温度条件を満たさなかった場合であっても、タイマによる時間判定で所定時間経過後には開弁制御信号を発するようにしておくことで、温度条件の判定エラーによりショーケース１２が冷却されない事態を回避して、食品の品質保全を図ることができる。この所定時間は、例えば５分程度に設定する。
【００２６】
図４は、実施例１における運転コントローラ２０による電磁弁制御フローを示す。運転コントローラ２０は、ショーケース１２からの開弁要求信号を監視する（Ｓ１０）。開弁要求信号を受け付けるまで（Ｓ１０のＮ）、電磁弁制御フローの次のステップには進まない。１つのショーケース１２から開弁要求信号を受け取ると（Ｓ１０のＹ）、タイマを所定時間にセットし（Ｓ１２）、他のショーケース１２から送信される開弁要求信号をカウントする（Ｓ１４）。
【００２７】
開弁要求信号を発したショーケース１２のいずれかにおいて、閾値βによる温度条件が満たされていないことを判定すると（Ｓ１６のＮ）、カウント数が所定値に達していなくても、品質保全を重視する観点から、この時点で開弁要求信号を発した全てのショーケース１２に対して開弁制御信号を送信する（Ｓ２２）。なお、このとき、既に複数のショーケース１２が開弁要求信号を発している場合は、複数のショーケース１２の電磁弁１４を同時に開弁することになるので、１つのショーケース１２からの開弁要求ごとに冷凍機３が駆動される従来の場合と比較すると、冷凍機３の運転回数および／または運転時間は少なくなり、省エネ化も実現できる。なお、タイマが満了した場合も（Ｓ１８のＹ）、タイマ満了時までに開弁要求信号を発した全てのショーケース１２に対して開弁制御信号を送信する（Ｓ２２）。
【００２８】
一方で、閾値βによる温度条件が満足され（Ｓ１６のＹ）、且つタイマが満了していない場合（Ｓ１８のＮ）、開弁要求信号を発したショーケース１２のカウント数が所定値以上であるか否かを判定する（Ｓ２０）。所定値未満である場合（Ｓ２０のＮ）、サンプリング時間ごとにＳ１４からＳ１８のステップを繰り返して実行し、所定値以上である場合（Ｓ２０のＹ）、開弁要求信号を発した全てのショーケース１２に開弁制御信号を送信する（Ｓ２２）。このように、所定数以上の電磁弁１４を同期して開弁させることで、冷凍機３の運転回数および／または運転時間を少なくすることが可能となる。Ｓ２０のステップにおいて、カウント数が所定値に達したことを条件として開弁制御信号を送信することで、Ｓ１０における最初の開弁要求から実際の開弁動作までの遅延時間に、ある程度の制限をかけることができる。なお、カウント数がショーケース１２の全ての個数となることを条件に開弁制御信号を送信することとしてもよい。この場合であっても、閾値βによる温度条件判定やタイマ判定により、最初に開弁要求を行ったショーケース１２の冷却が過剰に損なわれる事態を回避できる。以上の電磁弁制御フローにより、省エネと品質保全の両者のバランスを効果的に図るショーケース冷却システム１０を実現できる。なお、カウント数、温度条件、タイマによる判定は、図４に示すように組み合わせて行われてもよく、または単独で行われてもよい。
【００２９】
図５は、実施例１のショーケース冷却システム１０における各ショーケース１２の開弁期間と、冷凍機３の運転時間の関係を示す図である。図５において、横軸は時間を示し、各ショーケース２のタイミングチャートにおけるハイ期間は電磁弁４の開弁期間を、ロー期間は電磁弁の閉弁期間を示す。また、冷凍機３のタイミングチャートにおけるハイ期間はコンプレッサの運転期間を、ロー期間はコンプレッサの非運転期間を示す。図５は、図２に示す従来のショーケース冷却システム１における開弁開始時間に、各ショーケース１２が開弁要求を運転コントローラ２０に発した場合のタイミングチャートとなっている。図５と図２における冷凍機３の運転時間を比較すると、図５に示す冷凍機３の運転時間の方が短くなる。これは、１つのショーケース１２からの開弁要求信号を受け付けたことのみによっては電磁弁１４を開弁せず、図５の例では２つのショーケース１２からの開弁要求信号を受け付けたことにより電磁弁１４を開弁することとして、冷凍機３が、２つのショーケース１２を１回の運転で冷却できるようにしたためである。なお、時間軸上で左から３番目に示される冷凍機３の運転は、ショーケース１２ｂのみからの開弁要求信号によって行われているが、これは例えば、運転コントローラ２０が、他のショーケース１２からの開弁要求信号を受け取る前にタイマが満了した場合や、またショーケース１２ｂの温度が、設定温度値よりも閾値β（３℃）以上上がった場合などを想定している。
【００３０】
（実施例２）
実施例２におけるショーケースは、主体的に空気温度値と設定温度値との差に基づいて電磁弁の開閉を制御する機能を有さず、電磁弁の開閉が運転コントローラの制御によりなされる。ショーケースは、運転コントローラから供給される開弁制御信号を受けると、電磁弁を開弁する。なお、電磁弁の閉弁のタイミングについては、運転コントローラにより制御される。実施例２は、基本的にそれ以外の部分については、実施例１に示したショーケース冷却システムの構成および機能と同一または同様である。
【００３１】
図３において、実施例２では、各ショーケース１２が、温度情報を運転コントローラ２０に送信する。ここでいう温度情報は、各ショーケース１２における空気温度の測定値である。運転コントローラ２０は、各ショーケース１２の設定温度値を予め把握しておく。あるショーケース１２における空気温度値と設定温度値との差が閾値αを超えると、運転コントローラ２０は、そのショーケース１２を、開弁対象として特定し、開弁対象となるショーケース１２の数が所定数以上となると、それらのショーケース１２に開弁制御信号を送信して、それらの電磁弁１４を同期して開弁させる。
【００３２】
図６は、実施例２における運転コントローラ２０による電磁弁制御フローを示す。運転コントローラ２０は、ショーケース１２から温度情報を受け取り、開弁対象となるショーケース１２の有無を監視する（Ｓ３０）。開弁対象となるショーケース１２が見つかるまで（Ｓ３０のＮ）、電磁弁制御フローの次のステップには進まない。あるショーケース１２が開弁対象であることを検出すると（Ｓ３０のＹ）、タイマを所定時間にセットし（Ｓ１２）、他のショーケース１２が開弁対象となるか否かを監視して、温度情報をもとに開弁対象となるショーケース１２を特定し、カウントする（Ｓ３２）。
【００３３】
開弁対象として特定したショーケース１２のいずれかにおいて、閾値βによる温度条件が満たされていないことを判定すると（Ｓ１６のＮ）、カウント数が所定値に達していなくても、品質保全を重視する観点から、この時点で開弁対象となる全てのショーケース１２に対して開弁制御信号を送信する（Ｓ２２）。また、タイマが満了した場合も（Ｓ１８のＹ）、タイマ満了時までに開弁対象として特定した全てのショーケース１２に対して開弁制御信号を送信する（Ｓ２２）。
【００３４】
一方で、閾値βによる温度条件が満足され（Ｓ１６のＹ）、且つタイマが満了していない場合（Ｓ１８のＮ）、開弁対象となるショーケース１２のカウント数が所定値以上であるか否かを判定する（Ｓ３４）。所定値未満である場合（Ｓ３４のＮ）、サンプリング時間ごとにＳ３２、Ｓ１６、Ｓ１８のステップを繰り返して実行し、所定値以上である場合（Ｓ３４のＹ）、開弁対象となる全てのショーケース１２に開弁制御信号を送信する（Ｓ２２）。このように、所定数以上の電磁弁１４を同期して開弁させることで、冷凍機３の運転回数および／または運転時間を少なくすることが可能となる。以上の電磁弁制御フローにより、省エネと品質保全の両者のバランスを効果的に図るショーケース冷却システム１０を実現できる。なお、カウント数、温度条件、タイマによる判定は、図６に示すように組み合わせて行われてもよく、または単独で行われてもよい。
【００３５】
以上、実施例をもとに本発明を説明した。なお本発明はこの実施例に限定されることなく、そのさまざまな変形例もまた、本発明の態様として有効である。
【００３６】
上述した実施例１および実施例２では、ショーケース１２による開弁要求信号の生成、または運転コントローラ２０による開弁対象の特定を、閾値αを用いて行っている。実施例ではαを１℃と設定しているが、それ以外の数値であってもよい。例えば、αを０℃または−１℃として設定してもよい。すなわち、測定した空気温度値が設定温度値以下の場合であっても、開弁要求信号の生成または開弁対象の特定を行うようにしてもよい。
【００３７】
上記の実施例によると、ショーケース１２は開弁すべき状態になっても、カウント数など所定の条件が満たされるまで開弁を待たされることになる。そのため、待機中の温度上昇分を予め吸収するべく、測定温度値が正常な状態にあっても、早めに開弁要求を行うことで、品質保全に対する顧客満足度を高めることができる。なお、品質保全を重視する場合には、閾値βを３℃よりもさらに小さく設定してもよい。
【図面の簡単な説明】
【００３８】
【図１】従来のショーケース冷却システムの構成を示す図である。
【図２】従来のショーケース冷却システムにおける各ショーケースの開弁期間と、冷凍機の運転時間の関係を示す図である。
【図３】実施例１に係るショーケース冷却システムの機能ブロック図である。
【図４】実施例１における運転コントローラによる電磁弁制御フローを示す図である。
【図５】実施例１のショーケース冷却システムにおける各ショーケースの開弁期間と、冷凍機の運転時間の関係を示す図である。
【図６】実施例２における運転コントローラによる電磁弁制御フローを示す図である。
【符号の説明】
【００３９】
３・・・冷凍機、１０・・・ショーケース冷却システム、１２・・・ショーケース、１４・・・電磁弁、２０・・・運転コントローラ。
【図１】
2005127545.tif 000003
【図２】
2005127545.tif 000004
【図３】
2005127545.tif 000005
【図４】
2005127545.tif 000006
【図５】
2005127545.tif 000007
【図６】
2005127545.tif 000008